(57)【要約】【課題】  車両用盗難防止装置を提供することである。【解決手段】  本発明による、電波透過性材料で作られたルーフを持つ車両用の盗難防止装置は、電波を発信し、車両室内で反射された反射波を受信するモーションセンサと、盗難防止アラーム装置と、前記モーションセンサが受信した反射波に所定の変化が生じたときに前記アラーム装置に対して盗難防止制御を行う盗難防止制御装置とを有し、前記モーションセンサは、電波発信方向が水平面に対して斜め下向きで、車両下部に水平に設けられる金属パネルに向けられるように、前記車両室内の下部に配置され、前記モーションセンサから発信された電波の一部を前記ルーフとは異なる方向に反射させる電波反射部材を有する、ことを特徴とする。【選択図】      図１
2006281843.tif 000002
【特許請求の範囲】
【請求項１】
電波透過性材料で作られたルーフを持つ車両用の盗難防止装置であって、
電波を発信し、車両室内で反射された反射波を受信するモーションセンサと、盗難防止アラーム装置と、前記モーションセンサが受信した反射波に所定の変化が生じたときに前記アラーム装置に対して盗難防止制御を行う盗難防止制御装置とを有し、
前記モーションセンサは、電波発信方向が水平面に対して斜め下向きで、車両下部に水平に設けられる金属パネルに向けられるように、前記車両室内の下部に配置され、
前記モーションセンサから発信された電波の少なくとも一部を前記ルーフとは異なる方向に反射させる電波反射部材を有する、
盗難防止装置。
【請求項２】
前記電波反射部材が、上方に突出する湾曲した面を備える、請求項１記載の盗難防止装置。
【請求項３】
前記電波発信方向と対向して発信されるサイドローブを遮蔽するための遮蔽プレートと前記電波反射部材とが互いに固定されている、請求項１又は請求項２記載の盗難防止装置。
【請求項４】
前記電波発信中心方向の電波を反射する前記電波反射部材の部分の曲率が、他の部分における曲率よりも大きい、請求項１乃至請求項３のいずれか一項に記載の盗難防止装置。
【発明の詳細な説明】
【技術分野】
【０００１】
本発明は、車両用盗難防止装置に関し、特に、オープンカー用の盗難防止装置に関する。
【背景技術】
【０００２】
近年、車両内に侵入して金品等を盗んだり、車両ごと持ち去るなど、車両に関する犯罪は増加の一途をたどっている。
【０００３】
これに伴い各種の車両用盗難防止装置が開発され、その一つに、車室内に超音波を発信し、車室によって反射された反射超音波を受信し、反射超音波に変化があったときに車室に不審者が侵入したと判断して、侵入者の存在を外部の者に知らせるアラームを発する、所謂バーグラアラームシステムが知られている。アラームには、侵入者の存在を車両付近の第三者に知らせる警報音、侵入者の存在を車両所有者(使用者)に知らせる通報、または、これら両方など、種々のものが知られている。
【０００４】
このようなバーグラアラームシステムの一例が特許文献１に開示されている。
この特許文献１に開示されたバーグラアラームシステム(車両用侵入検出装置)は、ルーフが鉄製などの超音波を反射することができる材料で作られている車両を装着対象車とし、超音波送受信器、すなわち、モーションセンサは、フロントウインドシールドの上縁(フロントヘッダー)に、後方下向きに設置される。
【０００５】
【特許文献１】特開２０００−１４２３２４号公報
【０００６】
商品としての車の質感、或いは、見栄えを向上させるため、近年、モーションセンサを含むセンサ類等はトリムによって覆い隠すのが一般的であるところ、モーションセンサが特許文献１におけるように超音波式の場合には、トリムによって超音波が遮蔽されてしまう。そこで、トリムによって遮蔽されることのない電波を用いたモーションセンサを利用するバーグラアラームシステムも登場し始めている。
【発明の開示】
【発明が解決しようとする課題】
【０００７】
ところで、車のタイプの１つとしてルーフ(トップ)が開放されている、或いは、ルーフを選択的に開放することができるオープンカーがあり、更に、このオープンカーは、電波を反射しない布や革などで作られたソフトトップ(幌)を持つものと、電波を反射する金属製のハードトップを持つものとがある。
【０００８】
このソフトトップのオープンカーに、特許文献１に開示のバーグラアラームシステム(モーションセンサが発信する超音波は電波に置換されているものとする)をそのまま適用することは好ましくない。
【０００９】
モーションセンサをフロントヘッダーに、すなわち、ソフトトップ近くに設置すると、モーションセンサから発信された電波(直接波)が、電波発信中心方向から広がってソフトトップを透過し、車外の、車両上方を移動する移動物、例えば、鳥や、宙を舞ったゴミなどを誤検知し、その結果、この車外移動物を車室内への侵入者であると誤判断し、アラームを発してしまう恐れがあるからである。
【００１０】
この問題を解決するには、モーションセンサを車両室内下部に設け、その電波発信方向を斜め下方にすることが考えられる(電波発信方向を水平方向とするのは、発信された電波の最上方の直接波が電波透過性材料で形成されたルーフを透過してしまうので、好ましくない)。
【００１１】
しかし、斜め下方に発信された電波、特に、モーションセンサの電波発信中心方向の最も強い電波は、車室下方に位置する平面状の金属パネル(例えば、フロアパネルや、リヤコンソール)によって反射され、ルーフに向かう強い反射電波を生じさせ、やはり車両上方の移動物を誤検知してしまう。
かかる問題を解決する手段として、モーションセンサが発信する電波の強度自体を低下させたり、モーションセンサを上向き又は水平に設置し、直接上方に発信される電波を反射する反射板を設けることも考えられるけれども、車室内にモーションセンサが侵入検知できないエリアを作ってしまうことになり、盗難防止性能を低下させてしまう。
【００１２】
また、上述した問題は、電波透過性材料で作られたトップを持つキャンバストップ車、コンバーチブル車、或いはまた、電波を透過しやすいガラスによってトップの一部が構成されているサンルーフ車、グラスルーフ車など、オープンカー以外の車両においても同様に発生する。
【００１３】
従って、本発明は、上述した問題を解決するために発明されたものであって、ルーフに電波を透過する材料が使用されている車両用の、ルーフ上方の移動物を誤検知することを低減する盗難防止装置を提供することを目的とする。
【課題を解決するための手段】
【００１４】
上記目的を達成するため、本発明による、電波透過性材料で作られたルーフを持つ車両用の盗難防止装置は、電波を発信し、車両室内で反射された反射波を受信するモーションセンサと、盗難防止アラーム装置と、前記モーションセンサが受信した反射波に所定の変化が生じたときに前記アラーム装置に対して盗難防止制御を行う盗難防止制御装置とを有し、前記モーションセンサは、電波発信方向が水平面に対して斜め下向きで、車両下部に水平に設けられる金属パネルに向けられるように、前記車両室内の下部に配置され、
前記モーションセンサから発信された電波の少なくとも一部を前記ルーフとは異なる方向に反射させる電波反射部材を有する、ことを特徴とする。
【００１５】
上記構成による本発明の車両盗難防止装置では、電波発信方向が水平面に対して下向きになるようにモーションセンサが車両室内の下部に配置されているので、モーションセンサからの電波発信中心方向の最も強い電波が、直接、電波透過性材料で作られたルーフに向かうのを回避することができ、これにより、ルーフ上方の移動物に対する誤検知を低減することができる。また、ルーフに向かう直接波を遮蔽する反射板を設けないで済むので、侵入検知できないエリアが作られてしまうのを回避することができると共に、反射部材によって反射された電波がモーションセンサの直接波が届かない室内エリアに達し、検知エリアを拡大することができる。
【００１６】
本発明では、前記電波反射部材が、上方に突出した湾曲した面を備えるのが好ましい。
【００１７】
電波反射部材が、上方に突出した湾曲した面を備えるときには、湾曲面によって、強い電波を分散してルーフ以外の室内エリアに満遍なく発信することができ、そのエリアの検知精度を向上させることができる。
【００１８】
また、本発明では、前記電波発信方向と対向して発信されるサイドローブを遮蔽するための遮蔽プレートと前記電波反射部材とが互いに固定されているのが好ましい。
【００１９】
前記電波発信方向と対向して発信されるサイドローブを遮蔽するための遮蔽プレートと前記電波反射部材とが互いに固定されているときには、車両盗難防止装置の車両への取り付けが容易となる。
【００２０】
更にまた、本発明では、前記電波発信中心方向の電波を反射する前記電波反射部材の部分の曲率が、他の部分における曲率よりも大きいのが好ましい。
【００２１】
電波発信中心方向の電波を反射する電波反射部材の部分の曲率が他の部分における曲率よりも大きいときには、電波発信中心方向という最も強い強度の電波が大きな曲率の湾曲面で最も大きく拡散され、電波の強度を低下させることができ、これにより、ルーフ上方の移動物に対する誤検知を低減することができる。
【発明の効果】
【００２２】
本発明によれば、ルーフに電波を透過する材料が使用されている車両用の、ルーフ上方の移動物を誤検知することを低減する盗難防止装置を提供することができる。
【発明を実施するための最良の形態】
【００２３】
以下、添付図面を参照して、本発明の実施形態について説明する。この実施形態は、本発明を、ソフトトップＳＴを備えたオープンカー用の盗難防止装置に適用したものである。
【００２４】
図１乃至図４を参照すると、本発明の一実施形態による盗難防止装置が全体的に参照番号１で示されている。
この盗難防止装置１は、電波を発信し、車室内で反射された反射波を受信するモーションセンサ２と、モーションセンサ２に接続され、盗難防止制御を行う制御装置(図示せず)とを有する。
【００２５】
盗難防止装置１は、車両に対する特定の操作、例えば、車両ドアのロック装置の施錠、解錠に連動させて作動、不作動が切り替えられ、作動中、すなわち、車両盗難警戒状態にあるときにのみ、モーションセンサ２による電波の送受信を行うようになっている。盗難防止装置１の作動中のモーションセンサ２による電波の送受信は、連続的であっても良いし、断続的であっても良い。
【００２６】
図１及び図２で良くわかるように、車両１０の運転席(位置)と助手席１１(位置)との間にセンタートンネル１２が延び、このセンタートンネル１２は頂部に金属プレートからなるウェブプレート部分１２Ａを有する。モーションセンサ２は、このウェブプレート部分１２Ａの後部に、エンドパネル１３に隣接して、配置される。すなわち、モーションセンサ２は、フロントウインドシールド１４とエンドパネル１３との間、及び、フロントウインドシールド１４を保持するＡピラー(図示せず)の上縁とフロアパネル１５との間に構成される車室における後部、且つ、下部に配置される。モーションセンサ２を車室後部に配置することによって電波が車室の多くのエリアをカバーすることができ、モーションセンサ２を車室下部に配置することによって発信直後の強い電波がソフトトップＳＴに達するのを防止することができる。
【００２７】
尚、本願における「前」、「後」、「左」、「右」の用語は、特別の説明なしに用いられるときは、車両の進行方向における車両の長手方向軸線に対する前後左右を意味する。
【００２８】
図３及び図４は、モーションセンサ２と、このモーションセンサ２をセンタートンネル１２に取り付けるための取付ブラケット３と、取付ブラケット３に取り付けられ、モーションセンサ２から発信された電波を反射するための電波反射制御部材２０とを示す。
【００２９】
取付ブラケット３は、車両１０の前後方向に延びる一対の脚部３Ａと、これらの脚部３Ａの後部同士を連結する連結部３Ｂとを備える。各脚部３Ａ、連結部３Ｂには取付穴(図示せず)が形成され、センタートンネル１２への取付ブラケット３の取付けは、取付ブラケット３のこれらの取付穴をセンタートンネル１２の(金属パネルからなる)ウェブプレート部分１２Ａに形成された取付穴(図示せず)と夫々整合させ、整合された夫々の取付穴にボルト(図示せず)を通し、このボルトにナット(図示せず)を螺合し、取付ブラケット３の脚部３Ａとウェブプレート部分１２Ａとを締め付けることによって行われる。
【００３０】
センタートンネル１２への取付ブラケット３の取付けは、接着剤を用いて行っても良いし、溶接によって行っても良い。以下の説明では、説明の簡略化の目的で、２つの要素を互いに連結する場合に、ボルト、ナット、或いは、ビス等の締結手段を用いた締結や、溶接や接着剤などを用いた固定のいずれの手段をも用いることができる場合には、単に「取り付ける」と称する。
【００３１】
取付ブラケット３は連結部３Ｂから上方に延びる取付部３Ｃを備え、モーションセンサ２は、その下部取付部２Ａを取付部３Ｃに取り付けることによって、取付ブラケット３に取り付けられる。
【００３２】
モーションセンサ２それ自体は既存の構造のものであり、従って、その構造、作動についての説明は省略する。
【００３３】
モーションセンサ２は水平線に対して下向きに配置される。これにより、モーションセンサ２からの電波発信中心方向の最も強い電波(直接波)がソフトトップＳＴに向かうのを回避することができる。電波発信中心方向の電波と比較して外側領域の電波は弱いけれども、使用される電波の大きさによっては外側領域の電波といえどもソフトトップＳＴを透過してしまう恐れがある。従って、モーションセンサ２は、直接波が車両１０のＡピラー(図示せず)の上縁よりも後方(ソフトトップＳＴ)に向かわない角度で、水平線に対して下向きに配置されるのが好ましい。
【００３４】
モーションセンサ２の背面には、モーションセンサ２の前方電波発信面に対向して、電波を遮蔽するための後方遮蔽プレート４が取り付けられ、これにより、モーションセンサ２の後方への電波(サイドローブ)が遮蔽される。
【００３５】
モーションセンサ２は、電気ケーブル５及びコネクタ６を介して、盗難防止制御装置(図示せず)に接続され、盗難防止制御装置(図示せず)は、警告音発生装置(サイレン)等の各種アラーム装置(図示せず)と有線、又は、無線で接続される。盗難防止制御装置(図示せず)は、モーションセンサ２が受信した反射波に所定の変化が生じたときに、各種アラーム装置(図示せず)に対して盗難防止制御を行う。盗難防止制御は、「背景技術」の項で述べた各種アラームの制御を意味する。
【００３６】
取付ブラケット３にはまた、モーションセンサ２から発信された電波を反射するための電波反射制御部材２０が取り付けられる。電波反射制御部材２０は任意の金属、例えば、鉄で作ることができる。
【００３７】
電波反射制御部材２０は、取付ブラケット３の各脚部３Ａに取り付けられる一対の取付脚部２０Ａと、これらの取付脚部２０Ａ間に延びる上方突出湾曲面部材２０Ｂとを有する。上方突出湾曲面部材２０Ｂの湾曲面形状は、ソフトトップＳＴに向かう電波(反射波)の強度（強さ）を低下させると共に、直接波が届かない室内エリアに向けて反射させるように、決定される。これにより、ソフトトップＳＴを透過する反射波をなくす乃至低減し、誤検知を低減することができ、また、検知エリアを拡大することができる。
【００３８】
モーションセンサ２の上方突出湾曲面部材２０Ｂの曲率は脚部３Ａ間に亘って一定であっても良いが、本実施形態では、電波発信中心方向の電波を反射する上方突出湾曲面部材２０Ｂの主反射部分（中央部）における曲率を、上方突出湾曲面部材２０Ｂの他の部分（側方部）における曲率よりも大きくし、これにより、ソフトトップＳＴに向かう反射波の単位面積あたりの電波の量を拡散させ、電波の強度をより低下させている。すなわち、モーションセンサ２から発信される電波の大きさを変えられない場合であっても、上方突出湾曲面部材２０Ｂの主反射部分の曲率を設計変更することによってソフトトップＳＴに向かう反射波の強度を調節することができる。計算により、或いは、実験結果に基づき、ソフトトップＳＴに向かう反射波がソフトトップＳＴ直前で消失するように、上方突出湾曲面部材２０Ｂの主反射部分における曲率を決定するのが好ましい。
【００３９】
センタートンネル１２のウェブプレート部分１２Ａに取り付けられたモーションセンサ２、取付ブラケット３及び電波反射制御部材２０は、トリム、すなわち、表面装飾部材（図示せず）によって覆われる。この表面装飾部材（図示せず）を利用して、上方突出湾曲面部材２０ＢによってソフトトップＳＴに向けて反射された反射波を減衰しても良い。
【００４０】
以下、上述した構成の盗難防止装置１の作動を説明する。
例えば車両ドアのロック装置が施錠されることによって盗難防止装置１が作動され、車両盗難警戒状態に入る。盗難防止装置１が車両盗難警戒状態に入ると、モーションセンサ２が電波を連続的（或いは、断続的）に発信する。
【００４１】
モーションセンサ２が発信した電波の一部は、電波反射制御部材２０の上方突出湾曲面部材２０Ｂによって反射される。電波反射制御部材２０の上方突出湾曲面部材２０Ｂの主反射部分（中央部）によって反射された電波は、上方突出湾曲面部材２０Ｂの他の部分（側方部）によって反射された電波よりも大きく減衰されてソフトトップＳＴに向けられ、これにより、ソフトトップＳＴを透過してしまう反射波がなくされ乃至低減され、誤検知が低減される。一方、上方突出湾曲面部材２０Ｂの側方部によって反射された電波は、モーションセンサ２の直接波が届かない室内エリアに達し、検知エリアを拡大する。
【００４２】
モーションセンサ２が発信した電波の一部は、電波反射制御部材２０によって反射されることなく室内に広がる。
【００４３】
モーションセンサ２が発信した電波は再びモーションセンサ２によって受信され、受信結果は盗難防止制御装置(図示せず)に送信される。モーションセンサ２が受信した反射波に所定の変化が生じたときには、盗難防止制御装置(図示せず)は車内に不審者が侵入したと判断し、各種アラーム装置(図示せず)に対して盗難防止制御を行い、各種アラーム装置(図示せず)は、例えば、侵入者の存在を車両付近の第三者に知らせる警報音を発し、侵入者の存在を車両所有者(使用者)に知らせる通報を行う。
【００４４】
本発明は、上述した実施形態に限定されることなく以下のような種々の変更が可能である。
【００４５】
例えば、上記実施形態の車両盗難防止装置では、モーションセンサ２は、車室下部に位置する、金属プレートのウェブプレート部分１２Ａの上方近傍に取り付けられたけれども、同じく車室下部に位置し、金属プレートからなるフロアパネル１５の上方近傍に取り付けても良い。
【００４６】
また、上記実施形態の車両盗難防止装置では、電波反射制御部材２０を車両の一部とは別個の部品によって構成したけれども、車両の一部、例えば、センタートンネル１２のウェブプレート部分１２Ａの一部を上方に突出した、全体的に湾曲した面に形成することによって構成しても良い。
【産業上の利用可能性】
【００４７】
上述した実施形態では、ソフトトップを備えたオープンカー用の車両盗難防止装置として本発明を説明したけれども、本発明の車両盗難防止装置は、オープンカー以外の車両、例えば、電波透過性材料で作られたトップを持つキャンバストップ車、コンバーチブル車、或いはまた、電波を透過しやすいガラスによってトップの一部が構成されているサンルーフ車、グラスルーフ車にも有用である。
【図面の簡単な説明】
【００４８】
【図１】本発明の一実施形態による車両用盗難防止装置を車両に取り付けた状態を示す概略図である。
【図２】図１の車両用盗難防止装置の車両取付位置を示す、車両の部分概略斜視図である。
【図３】図１の車両用盗難防止装置のモーションセンサ、電波減衰反射部材及び取付ブラケットを示す左側面図である。
【図４】図１の車両用盗難防止装置のモーションセンサ、電波減衰反射部材及び取付ブラケットの正面右側斜視図である。
【符号の説明】
【００４９】
ＳＴ  ソフトトップ（電波透過性材料で作られたルーフ）
１  オープンカー用の盗難防止装置（盗難防止装置）
２  モーションセンサ
１０  車両
２０  電波反射制御部材（電波反射部材）
【図１】
2006281843.tif 000003
【図２】
2006281843.tif 000004
【図３】
2006281843.tif 000005
【図４】
2006281843.tif 000006